(57)【要約】  実施形態に係るネットワーク装置は、第１無線アクセス技術を用いた通信を行う第１通信部と第２無線アクセス技術を用いた通信を行う第２通信部とを備えるユーザ端末と前記第１アクセス技術を用いた通信を行う。前記ネットワーク装置は、前記第２通信部による送信に関して前記ユーザ端末が法令で認証された国に関する認証関連情報を前記ユーザ端末から受信する受信部と、前記認証関連情報に基づいて、前記ユーザ端末に対して前記第２通信部による通信の設定が可能か否かを判断する制御部と、を備える。
2016136647.tif 000002
【特許請求の範囲】
【請求項１】
第１無線アクセス技術を用いた通信を行う第１通信部と第２無線アクセス技術を用いた通信を行う第２通信部とを備えるユーザ端末と前記第１アクセス技術を用いた通信を行うネットワーク装置であって、
前記第２通信部による送信に関して前記ユーザ端末が法令で認証された国に関する認証関連情報を前記ユーザ端末から受信する受信部と、
前記認証関連情報に基づいて、前記ユーザ端末に対して前記第２通信部による通信の設定が可能か否かを判断する制御部と、を備えるネットワーク装置。
【請求項２】
前記認証関連情報は、前記ユーザ端末が法令で認証された国を示すリスト情報であり、
前記制御部は、前記リスト情報が前記ユーザ端末が位置する国の情報を含む場合、前記ユーザ端末に対して前記第２通信部による通信の設定が可能であると判断することを特徴とする請求項１に記載のネットワーク装置。
【請求項３】
前記認証関連情報は、前記ユーザ端末が法令で認証された国を示す画像情報であり、
前記制御部は、前記画像情報に前記ユーザ端末が位置する国において法令で認証された端末装置に与えられる画像が含まれる場合、前記ユーザ端末に対して前記第２通信部による通信の設定が可能であると判断することを特徴とする請求項１に記載のネットワーク装置。
【請求項４】
前記認証関連情報は、ユーザの操作によって前記ユーザ端末に入力された情報に基づくことを特徴とする請求項１に記載のネットワーク装置。
【請求項５】
前記制御部は、前記ユーザ端末に対して前記第２通信部による通信の設定が可能であると判断した場合、前記第２通信部による通信に関する設定を示す設定情報を前記ユーザ端末に通知することを特徴とする請求項１に記載のネットワーク装置。
【請求項６】
前記制御部は、前記ユーザ端末が位置する国において、前記第２通信部による送信に関して前記ユーザ端末が法令で認証されていない場合、前記ユーザ端末に対して前記第２通信部による送信をせずに受信するための設定が可能であると判断することを特徴する請求項１に記載のネットワーク装置。
【請求項７】
第１無線アクセス技術を用いた通信を行う第１通信部と、第２無線アクセス技術を用いた通信を行う第２通信部と、を備えるユーザ端末であって、
前記第２通信部による送信に関して前記ユーザ端末が法令で認証された国に関する認証関連情報を、前記第１通信部を介してネットワーク装置に通知する制御部を備えることを特徴とするユーザ端末。
【請求項８】
第１無線アクセス技術による通信を行う第１通信部と、第２無線アクセス技術による通信を行う第２通信部と、を備えるユーザ端末であって、
前記第２通信部による送信に関して前記ユーザ端末が法令で認証された国に関する認証関連情報を記憶する記憶部と、
前記ユーザ端末が位置する国において前記第２通信部による送信に関して前記ユーザ端末が法令で認証されているかを判断するための判断情報を前記第１通信部を介して取得する制御部を備え、
前記制御部は、前記認証関連情報と前記判断情報とに基づいて、前記ユーザ端末が位置する国において前記第２通信部による送信を実行可能か否かを判断することを特徴とするユーザ端末。
【請求項９】
前記制御部は、前記判断の結果に基づく情報を前記第１通信部を介してネットワーク装置に通知することを特徴とする請求項８に記載のユーザ端末。
【請求項１０】
前記制御部は、前記判断の結果に基づいて、前記ユーザ端末の能力情報を更新し、
前記制御部は、前記更新された能力情報を、前記判断の結果に基づく情報として前記ネットワーク装置に通知することを特徴とする請求項９に記載のユーザ端末。
【請求項１１】
前記第１通信部は、前記第２の無線アクセス技術を用いた通信の設定に関する所定のメッセージを受信し、
前記制御部は、前記所定のメッセージに対する応答として、前記判断の結果に基づく情報を前記ネットワーク装置に通知することを特徴とする請求項９に記載のユーザ端末。
【請求項１２】
前記制御部は、前記所定のメッセージに対して否定応答を通知する場合、前記第２通信部による送信に関して前記ユーザ端末が法令で認証されていないことを示す理由情報を前記否定応答に含めることを特徴とする請求項１１に記載のユーザ端末。
【請求項１３】
前記制御部は、前記所定のメッセージに対して否定応答を通知し、
前記制御部は、無線リンク障害を検出した後、基地局と接続を再確立する際に、前記第２通信部による送信に関して前記ユーザ端末が法令で認証されていないことを前記否定応答の理由として通知することを特徴とする請求項１１に記載のユーザ端末。
【請求項１４】
第１無線アクセス技術を用いた通信を行う第１通信部と第２無線アクセス技術を用いた通信を行う第２通信部とを備えるユーザ端末と前記第１アクセス技術を用いた通信を行うネットワーク装置であって、
前記ユーザ端末の機種識別子に関する情報を前記ユーザ端末から受信する受信部と、
前記機種識別子に関する情報に基づいて、前記第２通信部による送信に関して法令で前記ユーザ端末が認証された国に関する認証関連情報を取得する制御部と、を備え、
前記制御部は、前記認証関連情報に基づいて、前記ユーザ端末に対して前記第２通信部による通信の設定が可能か否かを判断することを特徴とするネットワーク装置。
【発明の詳細な説明】
【技術分野】
【０００１】
本発明は、複数の無線アクセス技術を用いた通信が可能であるユーザ端末と通信が可能なネットワーク装置及び当該ユーザ端末に関する。
【背景技術】
【０００２】
近年、ユーザ端末が複数の無線アクセス技術（ＲＡＴ）を用いて通信を行うことが予想されており、例えば、セルラ通信技術の標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）で仕様が策定されているＬＴＥ（Ｌｏｎｇ  Ｔｅｒｍ  Ｅｖｏｌｕｔｉｏｎ）では、ユーザ端末のデータをセルラ通信（ＬＴＥ通信）及びＷＬＡＮ通信を併用して送受信する技術の提案がなされている（非特許文献１参照）。【０００３】
ところで、ユーザ端末が特定の無線アクセス技術を用いた送信（例えば、ＷＬＡＮ通信）を行うためには、ユーザ端末（端末装置）が法令（電波法）で定められた基準を満たす必要がある。法令は各国で定められており、ユーザ端末は、各国の法令の基準を満たすことによって使用許可（認証）を受ける。ユーザ端末は、認証国で特定の無線アクセス技術を用いた送信を合法的に行うことができる。
【先行技術文献】
【非特許文献】
【０００４】
【非特許文献１】３ＧＰＰ寄書  「ＲＰ−１４０７３８」
【発明の概要】
【０００５】
第１の特徴に係るネットワーク装置は、第１無線アクセス技術を用いた通信を行う第１通信部と第２無線アクセス技術を用いた通信を行う第２通信部とを備えるユーザ端末と前記第１アクセス技術を用いた通信を行う。前記ネットワーク装置は、前記第２通信部による送信に関して前記ユーザ端末が法令で認証された国に関する認証関連情報を前記ユーザ端末から受信する受信部と、前記認証関連情報に基づいて、前記ユーザ端末に対して前記第２通信部による通信の設定が可能か否かを判断する制御部と、を備える。
【０００６】
第２の特徴に係るユーザ端末は、第１無線アクセス技術を用いた通信を行う第１通信部と、第２無線アクセス技術を用いた通信を行う第２通信部と、を備える。前記ユーザ端末は、前記第２通信部による送信に関して前記ユーザ端末が法令で認証された国に関する認証関連情報を、前記第１通信部を介してネットワーク装置に通知する制御部を備える。
【０００７】
第３の特徴に係るユーザ端末は、第１無線アクセス技術による通信を行う第１通信部と、第２無線アクセス技術による通信を行う第２通信部と、を備える。前記ユーザ端末は、前記第２通信部による送信に関して前記ユーザ端末が法令で認証された国に関する認証関連情報を記憶する記憶部と、前記ユーザ端末が位置する国において前記第２通信部による送信に関して前記ユーザ端末が法令で認証されているかを判断するための判断情報を前記第１通信部を介して取得する制御部を備える。前記制御部は、前記認証関連情報と前記判断情報とに基づいて、前記ユーザ端末が位置する国において前記第２通信部による送信を実行可能か否かを判断する。
【０００８】
第４の特徴に係るネットワーク装置は、第１無線アクセス技術を用いた通信を行う第１通信部と第２無線アクセス技術を用いた通信を行う第２通信部とを備えるユーザ端末と前記第１アクセス技術を用いた通信を行う。前記ネットワーク装置は、前記ユーザ端末の機種識別子に関する情報を前記ユーザ端末から受信する受信部と、前記機種識別子に関する情報に基づいて、前記第２通信部による送信に関して法令で前記ユーザ端末が認証された国に関する認証関連情報を取得する制御部と、前記制御部は、前記認証関連情報に基づいて、前記ユーザ端末に対して前記第２通信部による通信の設定が可能か否かを判断する。
【図面の簡単な説明】
【０００９】
【図１】図１は、システム構成を示す図である。
【図２】図２は、ＵＥのブロック図である。
【図３】図３は、ｅＮＢのブロック図である。
【図４】図４は、ＡＰのブロック図である。
【図５】図５は、ＬＴＥ無線インターフェイスのプロトコルスタック図である。
【図６】図６は、セルラ・ＷＬＡＮアグリゲーションの基本動作を示す図である。
【図７】図７は、第１実施形態に係る動作環境を説明するための図である。
【図８】図８は、第１実施形態に係る動作を説明するためのシーケンス図である。
【図９】図９は、第２実施形態に係る動作を説明するためのシーケンス図である。
【図１０】図１０は、第２実施形態の変更例に係る動作を説明するためのシーケンス図である。
【図１１】図１１は、装置情報を管理する管理装置のブロック図である。
【図１２】図１２は、装置情報の一例を説明するための図である。
【図１３】図１３は、第３実施形態に係る動作を説明するためのシーケンス図である。
【発明を実施するための形態】
【００１０】
［実施形態の概要］
ユーザ端末が複数の無線アクセス技術を用いて通信を行う場合、第１の無線アクセス技術（例えば、ＬＴＥ）におけるネットワーク装置が、第２の無線アクセス技術（例えば、ＷＬＡＮ）を用いた通信の設定に関するメッセージをユーザ端末に送信するケースが想定される。このケースにおいて、当該ユーザ端末は、当該メッセージに基づいて設定を行った後、第２の無線アクセス技術を用いた通信を開始する。
【００１１】
しかしながら、当該ユーザ端末（端末装置）が第２の無線アクセス技術を用いた送信に関して認証されていない国に存在する場合には、当該ユーザ端末の送信行為は、違法である。従って、第２の無線アクセス技術を用いた通信の設定に関するメッセージを送信するネットワーク装置は、法令で認証（使用許可）を受けていないユーザ端末（端末装置）の違法使用を助長する虞がある。
【００１２】
そこで、本実施形態は、ネットワーク装置からのメッセージに基づくユーザ端末（端末装置）の違法使用を抑制可能なネットワーク装置及びユーザ端末を提供する。
【００１３】
第１実施形態に係るネットワーク装置は、第１無線アクセス技術を用いた通信を行う第１通信部と第２無線アクセス技術を用いた通信を行う第２通信部とを備えるユーザ端末と前記第１アクセス技術を用いた通信を行う。前記ネットワーク装置は、前記第２通信部による送信に関して前記ユーザ端末が法令で認証された国に関する認証関連情報を前記ユーザ端末から受信する受信部と、前記認証関連情報に基づいて、前記ユーザ端末に対して前記第２通信部による通信の設定が可能か否かを判断する制御部と、を備える。
【００１４】
第１実施形態において、前記認証関連情報は、前記ユーザ端末が法令で認証された国を示すリスト情報である。前記制御部は、前記リスト情報が前記ユーザ端末が位置する国の情報を含む場合、前記ユーザ端末に対して前記第２通信部による通信の設定が可能であると判断する。
【００１５】
第１実施形態において、前記認証関連情報は、前記ユーザ端末が法令で認証された国を示す画像情報である。前記制御部は、前記画像情報に前記ユーザ端末が位置する国において法令で認証された端末装置に与えられる画像が含まれる場合、前記ユーザ端末に対して前記第２通信部による通信の設定が可能であると判断する。
【００１６】
第１実施形態において、前記認証関連情報は、ユーザの操作によって前記ユーザ端末に入力された情報に基づく。
【００１７】
第１実施形態において、前記制御部は、前記ユーザ端末に対して前記第２通信部による通信の設定が可能であると判断した場合、前記第２通信部による通信に関する設定を示す設定情報を前記ユーザ端末に通知する。
【００１８】
第１実施形態において、前記制御部は、前記ユーザ端末が位置する国において、前記第２通信部による送信に関して前記ユーザ端末が法令で認証されていない場合、前記ユーザ端末に対して前記第２通信部による送信をせずに受信するための設定が可能であると判断する。
【００１９】
第１実施形態に係るユーザ端末は、第１無線アクセス技術を用いた通信を行う第１通信部と、第２無線アクセス技術を用いた通信を行う第２通信部と、を備える。前記ユーザ端末は、前記第２通信部による送信に関して前記ユーザ端末が法令で認証された国に関する認証関連情報を、前記第１通信部を介してネットワーク装置に通知する制御部を備える。
【００２０】
第２実施形態に係るユーザ端末は、第１無線アクセス技術による通信を行う第１通信部と、第２無線アクセス技術による通信を行う第２通信部と、を備える。前記ユーザ端末は、前記第２通信部による送信に関して前記ユーザ端末が法令で認証された国に関する認証関連情報を記憶する記憶部と、前記ユーザ端末が位置する国において前記第２通信部による送信に関して前記ユーザ端末が法令で認証されているかを判断するための判断情報を前記第１通信部を介して取得する制御部を備える。前記制御部は、前記認証関連情報と前記判断情報とに基づいて、前記ユーザ端末が位置する国において前記第２通信部による送信を実行可能か否かを判断する。
【００２１】
第２実施形態において、前記制御部は、前記判断の結果に基づく情報を前記第１通信部を介してネットワーク装置に通知する。
【００２２】
第２実施形態において、前記制御部は、前記判断の結果に基づいて、前記ユーザ端末の能力情報を更新する。前記制御部は、前記更新された能力情報を、前記判断の結果に基づく情報として前記ネットワーク装置に通知する。
【００２３】
第２実施形態（変更例）において、前記第１通信部は、前記第２の無線アクセス技術を用いた通信の設定に関する所定のメッセージを受信する。前記制御部は、前記所定のメッセージに対する応答として、前記判断の結果に基づく情報を前記ネットワーク装置に通知する。
【００２４】
第２実施形態（変更例）において、前記制御部は、前記所定のメッセージに対して否定応答を通知する場合、前記第２通信部による送信に関して前記ユーザ端末が法令で認証されていないことを示す理由情報を前記否定応答に含める。
【００２５】
第２実施形態（変更例）において、前記制御部は、前記所定のメッセージに対して否定応答を通知する。前記制御部は、無線リンク障害を検出した後、基地局と接続を再確立する際に、前記第２通信部による送信に関して前記ユーザ端末が法令で認証されていないことを前記否定応答の理由として通知する。
【００２６】
第３実施形態に係るネットワーク装置は、第１無線アクセス技術を用いた通信を行う第１通信部と第２無線アクセス技術を用いた通信を行う第２通信部とを備えるユーザ端末と前記第１アクセス技術を用いた通信を行う。前記ネットワーク装置は、前記ユーザ端末の機種識別子に関する情報を前記ユーザ端末から受信する受信部と、前記機種識別子に関する情報に基づいて、前記第２通信部による送信に関して法令で前記ユーザ端末が認証された国に関する認証関連情報を取得する制御部と、を備える。前記制御部は、前記認証関連情報に基づいて、前記ユーザ端末に対して前記第２通信部による通信の設定が可能か否かを判断する。
【００２７】
［第１実施形態］
以下、図面を参照して、３ＧＰＰ規格に準拠して構成されるセルラ通信システムであるＬＴＥシステムを無線ＬＡＮ（ＷＬＡＮ）システムと連携させる場合の実施形態を説明する。
【００２８】
（システム構成）
図１は、第１実施形態に係るシステム構成を示す図である。図１に示すように、ＬＴＥシステムは、複数のＵＥ（Ｕｓｅｒ  Ｅｑｕｉｐｍｅｎｔ）１００と、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０と、ＥＰＣ（Ｅｖｏｌｖｅｄ  Ｐａｃｋｅｔ  Ｃｏｒｅ）２０と、を含む。
【００２９】
Ｅ−ＵＴＲＡＮ１０は、セルラＲＡＮに相当する。ＥＰＣ２０は、コアネットワークに相当する。Ｅ−ＵＴＲＡＮ１０及びＥＰＣ２０は、ＬＴＥシステムのネットワークを構成する。
【００３０】
ＵＥ１００は、移動型の無線通信装置である。ＵＥ１００はユーザ端末に相当する。ＵＥ１００は、セルラ通信及びＷＬＡＮ通信の両通信方式をサポートする端末（デュアル端末）である。
【００３１】
Ｅ−ＵＴＲＡＮ１０は、複数のｅＮＢ２００（ｅｖｏｌｖｅｄ  Ｎｏｄｅ−Ｂ）を含む。ｅＮＢ２００は基地局に相当する。ｅＮＢ２００は、１又は複数のセルを管理しており、自セルに在圏するＵＥ１００との無線通信を行う。「セル」は、無線通信エリアの最小単位を示す用語として使用される他に、ＵＥ１００との無線通信を行う機能（リソース）を示す用語としても使用される。ｅＮＢ２００は、無線リソース管理（ＲＲＭ）機能、ユーザデータのルーティング機能、モビリティ制御及びスケジューリングのための測定制御機能等を有する。
【００３２】
ｅＮＢ２００は、Ｘ２インターフェイスを介して相互に接続される。ｅＮＢ２００は、Ｓ１インターフェイスを介して、ＥＰＣ２０に含まれるＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）５００と接続される。
【００３３】
ＥＰＣ２０は、複数のＭＭＥ／Ｓ−ＧＷ５００を含む。ＭＭＥは、ＵＥ１００に対する各種モビリティ制御等を行うネットワークノードであり、制御局に相当する。Ｓ−ＧＷは、ユーザデータの転送制御を行うネットワークノードであり、交換局に相当する。
【００３４】
ＷＬＡＮ３０は、ＷＬＡＮアクセスポイント（以下「ＡＰ」という）３００を含む。ＡＰ３００は、例えばＬＴＥシステムのＮＷオペレータにより管理されるＡＰ（Ｏｐｅｒａｔｏｒ  ｃｏｎｔｒｏｌｌｅｄ  ＡＰ）である。
【００３５】
ＷＬＡＮ３０は、例えばＩＥＥＥ  ８０２．１１諸規格に準拠して構成される。ＡＰ３００は、セルラ周波数帯とは異なる周波数帯でＵＥ１００とのＷＬＡＮ通信を行う。一般的に、ＷＬＡＮ通信はアンライセンスドバンドで行われる。セルラ通信は、ライセンスドバンドで行われる。ＡＰ３００は、ルータ等を介してＥＰＣ２０に接続される。
【００３６】
ｅＮＢ２００及びＡＰ３００が個別のノードである場合に限らず、ｅＮＢ２００及びＡＰ３００が同一のノードとして一体化（Ｃｏｌｌｏｃａｔｅｄ）されていてもよい。セルラ通信及びＷＬＡＮ通信をサポートするセルラ・ＷＬＡＮ一体型のｅＮＢ２００（以下、「セルラ・ＷＬＡＮ一体型ｅＮＢ２００」という）の構成については後述する。或いは、ｅＮＢ２００及びＡＰ３００が直接的なインターフェイスを介して相互接続されていてもよい。
【００３７】
ＥＰＣ２０は、ＡＮＤＳＦ（Ａｃｃｅｓｓ  Ｎｅｔｗｏｒｋ  Ｄｉｓｃｏｖｅｒｙ  ａｎｄ  Ｓｅｌｅｃｔｉｏｎ  Ｆｕｎｃｔｉｏｎ）サーバをさらに含んでもよい。ＡＮＤＳＦサーバは、ＷＬＡＮ３０に関するＡＮＤＳＦ情報を管理する。ＡＮＤＳＦサーバは、ＷＬＡＮ３０に関するＡＮＤＳＦ情報をＵＥ１００に提供する。
【００３８】
次に、ＵＥ１００、ｅＮＢ２００及びＡＰ３００の構成を説明する。
【００３９】
図２は、ＵＥ１００のブロック図である。図２に示すように、ＵＥ１００は、アンテナ１０１及び１０２と、セルラ送受信機１１１と、ＷＬＡＮ送受信機１１２と、ユーザインターフェイス１２０と、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０と、バッテリ１４０と、メモリ１５０と、プロセッサ１６０と、を含む。メモリ１５０及びプロセッサ１６０は、制御部を構成する。ＵＥ１００は、ユーザインターフェイス１２０及びＧＮＳＳ受信機１３０を有していなくてもよい。また、メモリ１５０をプロセッサ１６０と一体化し、このセット（すなわち、チップセット）をプロセッサ１６０’としてもよい。
【００４０】
アンテナ１０１及びセルラ送受信機１１１は、セルラ無線信号の送受信に用いられる。セルラ送受信機１１１は、プロセッサ１６０が出力するベースバンド信号をセルラ無線信号に変換してアンテナ１０１から送信する。また、セルラ送受信機１１１は、アンテナ１０１が受信するセルラ無線信号をベースバンド信号に変換してプロセッサ１６０に出力する。
【００４１】
アンテナ１０２及びＷＬＡＮ送受信機１１２は、ＷＬＡＮ無線信号の送受信に用いられる。ＷＬＡＮ送受信機１１２は、プロセッサ１６０が出力するベースバンド信号をＷＬＡＮ無線信号に変換してアンテナ１０２から送信する。また、ＷＬＡＮ送受信機１１２は、アンテナ１０２が受信するＷＬＡＮ無線信号をベースバンド信号に変換してプロセッサ１６０に出力する。
【００４２】
ユーザインターフェイス１２０は、ＵＥ１００を所持するユーザとのインターフェイスであり、例えば、ディスプレイ、マイク、スピーカ、及び各種ボタン等を含む。ユーザインターフェイス１２０は、ユーザからの入力を受け付けて、該入力の内容を示す信号をプロセッサ１６０に出力する。ＧＮＳＳ受信機１３０は、ＵＥ１００の地理的位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００４３】
メモリ１５０は、プロセッサ１６０によって実行されるプログラムと、プロセッサ１６０による処理に使用される情報と、を記憶する。プロセッサ１６０は、ベースバンド信号の変調・復調及び符号化・復号等を行うベースバンドプロセッサと、メモリ１５０に記憶されるプログラムを実行して各種の処理を行うＣＰＵと、を含む。プロセッサ１６０は、さらに、音声・映像信号の符号化・復号を行うコーデックを含んでもよい。プロセッサ１６０は、後述する各種の処理及び各種の通信プロトコルを実行する。
【００４４】
図３は、ｅＮＢ２００のブロック図である。図３に示すように、ｅＮＢ２００は、アンテナ２０１と、セルラ送受信機２１１と、ネットワークインターフェイス２２０と、メモリ２３０と、プロセッサ２４０と、を含む。メモリ２３０及びプロセッサ２４０は、制御部を構成する。また、メモリ２３０をプロセッサ２４０と一体化し、このセット（すなわち、チップセット）をプロセッサとしてもよい。
【００４５】
アンテナ２０１及びセルラ送受信機２１１は、セルラ無線信号の送受信に用いられる。セルラ送受信機２１１は、プロセッサ２４０が出力するベースバンド信号をセルラ無線信号に変換してアンテナ２０１から送信する。また、セルラ送受信機２１１は、アンテナ２０１が受信するセルラ無線信号をベースバンド信号に変換してプロセッサ２４０に出力する。
【００４６】
ネットワークインターフェイス２２０は、Ｘ２インターフェイスを介して隣接ｅＮＢ２００と接続され、Ｓ１インターフェイスを介してＭＭＥ／Ｓ−ＧＷ５００と接続される。ネットワークインターフェイス２２０は、直接的なインターフェイスを介してＡＰ３００と接続されていてもよい。
【００４７】
メモリ２３０は、プロセッサ２４０によって実行されるプログラムと、プロセッサ２４０による処理に使用される情報と、を記憶する。プロセッサ２４０は、ベースバンド信号の変調・復調及び符号化・復号等を行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００４８】
なお、ｅＮＢ２００がセルラ・ＷＬＡＮ一体型である場合、ｅＮＢ２００は、アンテナ２０２と、ＷＬＡＮ送受信機２１２と、をさらに含む。アンテナ２０２及びＷＬＡＮ送受信機２１２は、ＷＬＡＮ無線信号の送受信に用いられる。ＷＬＡＮ送受信機２１２は、プロセッサ２４０が出力するベースバンド信号をＷＬＡＮ無線信号に変換してアンテナ２０２から送信する。また、ＷＬＡＮ送受信機２１２は、アンテナ２０２が受信するＷＬＡＮ無線信号をベースバンド信号に変換してプロセッサ２４０に出力する。
【００４９】
図４は、ＡＰ３００のブロック図である。図４に示すように、ＡＰ３００は、アンテナ３０１と、ＷＬＡＮ通信部（ＷＬＡＮ送受信機）３１１と、ネットワークインターフェイス３２０と、メモリ３３０と、プロセッサ３４０と、を有する。メモリ３３０をプロセッサ３４０と一体化し、このセット（すなわち、チップセット）をプロセッサとしてもよい。
【００５０】
アンテナ３０１及びＷＬＡＮ通信部３１１は、ＷＬＡＮ無線信号の送受信に用いられる。ＷＬＡＮ通信部３１１は、プロセッサ３４０が出力するベースバンド信号をＷＬＡＮ無線信号に変換してアンテナ３０１から送信する。また、ＷＬＡＮ通信部３１１は、アンテナ３０１が受信するＷＬＡＮ無線信号をベースバンド信号に変換してプロセッサ３４０に出力する。
【００５１】
ネットワークインターフェイス３２０は、直接的なインターフェイスを介してｅＮＢ２００と接続される。
【００５２】
メモリ３３０は、プロセッサ３４０によって実行されるプログラムと、プロセッサ３４０による処理に使用される情報と、を記憶する。プロセッサ３４０は、ベースバンド信号の変調・復調及び符号化・復号等を行うベースバンドプロセッサと、メモリ３３０に記憶されるプログラムを実行して各種の処理を行うＣＰＵと、を有する。プロセッサ３４０は、後述する各種の処理を実行する。
【００５３】
図５は、ＬＴＥシステムにおける無線インターフェイスのプロトコルスタック図である。図５に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００５４】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００５５】
ＭＡＣ層は、データの優先制御、ハイブリッドＡＲＱ（ＨＡＲＱ）による再送処理等を行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）及びＵＥ１００への割当リソースブロックを決定するスケジューラを含む。
【００５６】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００５７】
ＰＤＣＰ層は、ヘッダ圧縮・伸張、及び暗号化・復号化を行う。
【００５８】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００５９】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。ＭＭＥ３００は、ＮＡＳメッセージをＵＥ１００と送受信する。
【００６０】
また、ＬＴＥシステムでは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００６１】
無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。ＵＥ１００に割り当てられる無線リソース（時間・周波数リソース）のうち、周波数リソースはリソースブロックにより特定でき、時間リソースはサブフレーム（又はスロット）により特定できる。
【００６２】
（セルラ・ＷＬＡＮアグリゲーションの基本動作）
セルラ・ＷＬＡＮアグリゲーションの基本動作について図６を用いて説明する。図６は、セルラ・ＷＬＡＮアグリゲーションの基本動作を示す図である。
【００６３】
セルラ・ＷＬＡＮアグリゲーションは、ＵＥ１００のデータ（トラフィック）をセルラ通信及びＷＬＡＮ通信を併用して送受信する通信方式である。具体的には、セルラ・ＷＬＡＮアグリゲーションでは、同一の又は異なるデータベアラに属するトラフィック（ユーザデータ）をセルラ通信及びＷＬＡＮ通信を併用して送受信する。
【００６４】
図６において、ＵＥ１００とＳ−ＧＷ５００（ＥＰＣ２０）との間には、ＡＰ３００を介さずにｅＮＢ２００を介するデータベアラ♯１（第１のデータベアラ）と、ＡＰ３００及びｅＮＢ２００を介するデータベアラ♯２（第２のデータベアラ）と、が確立されている。なお、セルラ・ＷＬＡＮアグリゲーションが実行されている場合、データベアラ♯２のみが確立されていてもよいし、データベアラ♯１とデータベアラ♯２との両方が確立されていてもよい。
【００６５】
データベアラ♯１は、通常のセルラ通信用のデータベアラである。一方、データベアラ♯２は、セルラ・ＷＬＡＮアグリゲーション用のデータベアラである。データベアラ♯２は、ｅＮＢ２００（例えば、ＰＤＣＰ層）において分割（ｓｐｌｉｔ）される。分割された一方（データベアラ♯２−１）は、ＡＰ３００を介さずにＵＥ１００で終端しており、分割された他方（データベアラ♯２−２）は、ＡＰ３００を介してＵＥ１００で終端する。なお、データベアラ♯２−２は、ＡＰ３００だけでなく（複数の）ＡＰ３００を収容するＷＬＡＮ  ＧＷ（ゲートウェイ装置）及び介してＵＥ１００で終端してもよい。
【００６６】
ＵＥ１００は、セルラ・ＷＬＡＮアグリゲーションを実行している場合、少なくともデータベアラ♯２を用いてデータの送受信を行う。
【００６７】
具体的には、セルラ・ＷＬＡＮアグリゲーションが実行されている場合、下りリンクにおいて、ｅＮＢ２００は、データベアラ♯２に属するデータをセルラ通信により送信するデータ（セルラ側データ）とＷＬＡＮ通信により送信するデータ（ＷＬＡＮ側データ）と分ける。ｅＮＢ２００は、セルラ側データを、データベアラ♯２−１によってセルラ通信によりＵＥ１００に送信する。一方、ｅＮＢ２００は、ＷＬＡＮ側データを、直接的な通信路を用いて、ＡＰ３００に送信する。ＡＰ３００は、ｅＮＢ２００から受信したＷＬＡＮ側データを、データベアラ♯２−２によってＷＬＡＮ通信によりＵＥ１００に送信する。
【００６８】
一方、上りリンクにおいて、ＵＥ１００は、データベアラ♯２に属するデータをセルラ通信により送信するデータ（セルラ側データ）とＷＬＡＮ通信により送信するデータ（ＷＬＡＮ側データ）とに分ける。ＵＥ１００は、セルラ側データを、データベアラ♯２−１によってセルラ通信によりｅＮＢ２００に送信する。一方、ＵＥ１００は、ＷＬＡＮ側データを、データベアラ♯２−２によってＷＬＡＮ通信によりＡＰ３００に送信する。ＡＰ３００は、ＵＥ１００から受信したＷＬＡＮ側データを、直接的な通信路を用いて、ｅＮＢ２００に送信する。ｅＮＢ２００は、ＵＥ１００から受信したセルラ側データとＡＰ３００から受信したＷＬＡＮ側データとを結合（再構築）してＳ−ＧＷ５００に送信する。
【００６９】
なお、セルラ・ＷＬＡＮアグリゲーションにおいて、データベアラ♯２に属する全てのデータがセルラ通信により送受信されてもよいし、データベアラ♯２に属する全てのデータがＷＬＡＮ通信により送受信されてもよい。
【００７０】
また、ｅＮＢ２００とＡＰ３００とが別であるケースを例に挙げて説明したが、ｅＮＢ２００が、セルラ・ＷＬＡＮ一体型ｅＮＢ２００であってもよい。
【００７１】
３ＧＰＰのリリース１３において提案されているセルラ・ＷＬＡＮアグリゲーションでは、ＷＬＡＮ通信において使用されるキャリア（ＷＬＡＮ周波数）をサービングセルの一つとして使用することが想定される。例えば、ＷＬＡＮ周波数を、キャリアアグリゲーション（Ｃａｒｒｉｅｒ  Ａｇｇｒｅｇａｔｉｏｎ：ＣＡ）又は二重接続方式（Ｄｕａｌ  Ｃｏｎｎｅｃｔｉｖｉｔｙ：ＤＣ）における補助的なセル（セカンダリセル：ＳＣｅｌｌ）として使用することが想定される。
【００７２】
既存のＣＡ及びＤＣと同様に、ｅＮＢ２００は、ＵＥ１００から受信した無線状況の測定結果に基づいて、ＷＬＡＮ周波数をＳＣｅｌｌとして追加するための設定メッセージをＵＥ１００に通知すると仮定する。ここで、ＵＥ１００（端末装置）がＷＬＡＮ送受信機１１２による送信に関して認証されていない国に存在する場合、ＷＬＡＮ送受信機１１２によるＵＥ１００の送信行為は違法である。従って、ｅＮＢ２００は、法令で認証（使用許可）を受けていないＵＥ１００（端末装置）の違法使用を助長する虞がある。そこで、以下の方法により、当該問題を解消する。
【００７３】
なお、ｅＮＢ２００が、ＵＥ１００（端末装置）の違法使用を助長する行為として、例えば、以下の内容の設定メッセージ（指示）を当該ＵＥ１００に送信するケースが該当する。
【００７４】
・ＵＥ１００が認証を受けていないＲＡＴ（ＷＬＡＮ）を用いた送信の指示
・ＵＥ１００が認証を受けていないＲＡＴを用いた通信を行う通信部（ＷＬＡＮ送受信機１１２）をオフからオンへと切り替えさせる指示
【００７５】
（第１実施形態に係る動作）
次に、第１実施形態に係る動作について図７及び図８を用いて説明する。図７は、第１実施形態に係る動作環境を説明するための図である。図８は、第１実施形態に係る動作を説明するためのシーケンス図である。
【００７６】
図７に示すように、ＲＲＣコネクティッド状態又はＲＲＣアイドル状態であるＵＥ１００は、ｅＮＢ２００のセル内に位置すると共に、ＵＥ１００は、ＡＰ３００のカバレッジ内に位置する。ＡＰ３００のカバレッジの全部は、ｅＮＢ２００のセル（カバレッジ）と重複してもよいし、ＡＰ３００のカバレッジの一部が、ｅＮＢ２００のセル（カバレッジ）と重複してもよい。ｅＮＢ２００とＡＰ３００との間には、コアネットワークを介さない直接的な通信路（インターフェイス）が設けられている。ｅＮＢ２００とＡＰ３００とは、直接的な通信路を用いて、情報のやり取りを行うことができる。
【００７７】
ＵＥ１００は、上述したように、第１のＲＡＴ（Ｒａｄｉｏ  Ａｃｃｅｓｓ  Ｔｅｃｈｎｏｌｏｇｙ：無線アクセス技術）であるＬＴＥを用いた通信が可能なセルラ送受信機１１１と、第２のＲＡＴであるＷＬＡＮを用いた通信が可能なＷＬＡＮ送受信機１１２とを備えている。従って、ＵＥ１００は、複数のＲＡＴを用いた通信が可能である。
【００７８】
図８に示すように、ステップＳ１１０において、ＮＷ７００は、認証関連情報の要求（Ｒｅｑｕｅｓｔ）をＵＥ１００に通知する。ＵＥ１００は、セルラ送受信機１１１を介して当該要求を受信する。なお、以後の動作においても、ＵＥ１００は、セルラ送受信機１１１を介してＮＷ７００と通信を行う。ステップＳ１１０の動作は省略されてもよい。
【００７９】
「ＮＷ７００」は、ＮＷオペレータにより管理されるネットワーク装置である。ＮＷ７００は、ｅＮＢ２００である。或いは、ＮＷ７００は、ｅＮＢ２００の上位ノードであるＭＭＥ５００であってもよい。
【００８０】
認証関連情報は、ＷＬＡＮ送受信機１１２による送信に関してＵＥ１００が法令で認証された国に関する情報である。
【００８１】
例えば、認証関連情報は、ＷＬＡＮ送受信機１１２による送信に関してＵＥ１００（端末装置／端末本体）が法令で認証された国を示すリスト情報である。日本において、ＵＥ１００が電波法令で定めている技術基準に適合している場合、リスト情報は、日本を示す情報を含む。
【００８２】
或いは、認証関連情報は、ＷＬＡＮ送受信機１１２による送信に関してＵＥ１００が法令で認証された国を示す画像情報である。例えば、日本では、画像情報は、電波法令で定めている技術基準に適合している無線機であることを証明する技適マークを示す情報（認証画像）である。画像情報は、ＵＥ１００が法令で認証された複数の国によって構成される画像情報であってもよい。
【００８３】
また、画像情報には、偽装防止のために電子透かしが埋め込まれていてもよい。また、画像情報の不正利用を防ぐために、画像情報を変更できないように、画像情報がロックされていてもよい。また、認証関連情報として利用する場合を除いて、画像情報をメモリから取り出せないように、画像情報がロックされていてもよい。
【００８４】
認証関連情報は、ＵＥ１００のユーザの操作によってＵＥ１００に入力された情報に基づく情報であってもよい。例えば、ユーザが、ＵＥ１００（端末装置）に貼られた技適マークを確認した後、ＷＬＡＮ送受信機１１２による送信に関してＵＥ１００が法令で認証された国を入力する操作を行う。ＵＥ１００は、当該操作に基づいて、例えば、リスト情報を作成することができる。
【００８５】
或いは、認証関連情報は、ＵＥ１００のメモリ１５０に記憶されていてもよい。ここでのメモリ１５０は、端末装置に装着されるＩＣカードであるＵＩＭ（Ｕｓｅｒ  Ｉｄｅｎｔｉｔｙ  Ｍｏｄｕｌｅ）内のメモリではなく、端末装置内のメモリである。認証関連情報は、ＵＥ１００（端末装置）内のメモリに予め記憶されていてもよい。或いは、ＵＥ１００は、ユーザからの操作によって作成したリスト情報を端末装置内のメモリに記憶してもよい。
【００８６】
なお、認証関連情報は、更新可能であってもよい。例えば、認証関連情報は、ＵＥ１００（端末装置）のドライバ回路（Ｄｒｉｖｅｒ）及び／又はオペレーティングシステム（ＯＳ）であるソフトウェアが更新されることによって更新されてもよい。或いは、ＩＥＥＥ仕様を新たに認可した国において、当該ＵＥ１００（端末装置）と同じ機種の端末装置が法令で認証された場合に、当該国の情報が認証関連情報に追加されることによって、装置情報（認証関連情報）が更新されてもよい。なお、ＮＷオペレータ又は端末装置を取り扱うベンダーによって認証関連情報が更新可能であってもよい。
【００８７】
ステップＳ１２０において、ＵＥ１００は、認証関連情報の報告（Ｒｅｐｏｒｔ）をＮＷ７００に通知する。ＵＥ１００は、Ｓ１１０の要求に応じて、認証関連情報の報告を通知してもよいし、周期的／非周期的に認証関連情報の報告を通知してもよい。例えば、ＵＥ１００は、ユーザからの認証関連情報の入力に応じて、認証関連情報の報告を通知してもよい。
【００８８】
また、ＵＥ１００内のＡＳレイヤが当該報告を通知してもよい。例えば、ＡＳレイヤが端末装置内のメモリから認証関連情報を取得し、ＲＲＣメッセージを用いて取得した認証関連情報を含む報告をｅＮＢ２００に通知してもよい。なお、ＭＭＥ５００が後述の判断を行う場合、ｅＮＢ２００は、受信した認証関連情報（の報告）をＭＭＥ５００に転送してもよい。
【００８９】
或いは、ＵＥ１００内のＮＡＳレイヤが当該報告を通知してもよい。例えば、ＮＡＳレイヤが端末装置内のメモリから認証関連情報を取得し、ＮＡＳメッセージを用いて取得した認証関連情報を含む報告をＭＭＥ５００に通知してもよい。なお、ｅＮＢ２００が後述の判断を行う場合、ＭＭＥ５００は、受信した認証関連情報（の報告）をｅＮＢ２００に転送してもよい。
【００９０】
ステップＳ１３０において、ＮＷ７００は、受信した認証関連情報に基づいて、ＵＥ１００に対してＷＬＡＮ送受信機１１２による通信の設定が可能か否かを判断する。すなわち、ＮＷ７００は、ＵＥ１００が位置する国において、ＷＬＡＮ送受信機１１２による通信に関してＵＥ１００が法令で認証されているか否かを判断する。
【００９１】
例えば、認証関連情報としてリスト情報を受信したＮＷ７００は、リスト情報がＵＥ１００の位置する国の情報を含む場合、ＵＥ１００に対してＷＬＡＮ送受信機１１２による通信の設定が可能であると判断する。一方、ＮＷ７００は、リスト情報がＵＥ１００の位置する国の情報を含まない場合、ＵＥ１００に対してＷＬＡＮ送受信機１１２による通信（少なくとも送信）の設定が不能であると判断する。
【００９２】
ＮＷ７００は、ＵＥ１００の位置する国の情報を保持（記憶）している。ＮＷ７００が位置する国とＵＥ１００の位置する国が同じである場合、ＮＷ７００が位置する国をＵＥ１００の位置する国として記憶する。また、ＮＷ７００にアクセス可能なＵＥ１００の位置する国が決まっている場合、当該国をＵＥ１００の位置する国として記憶する。ＮＷ７００は、認証関連情報と記憶されたＵＥ１００の位置する国の情報とに基づいて判断する。
【００９３】
或いは、ＵＥ１００は、ＧＮＳＳ受信機１３０により取得した位置情報を認証関連情報の報告に含めてもよい。ＮＷ７００は、報告情報に含まれる認証関連情報と位置情報とに基づいて判断する。
【００９４】
また、認証関連情報として画像情報を受信したＮＷ７００は、当該画像情報に、ＵＥ１００が位置する国において法令で認証された端末装置に与えられる画像が含まれる場合、ＵＥ１００に対してＷＬＡＮ送受信機１１２による通信の設定が可能であると判断する。一方、ＮＷ７００は、当該画像情報に当該画像が含まれない場合、ＵＥ１００に対してＷＬＡＮ送受信機１１２による通信（少なくとも送信）の設定が不能であると判断する。
【００９５】
上述と同様に、ＮＷ７００が位置する国とＵＥ１００の位置する国が同じである場合、又は、ＮＷ７００にアクセス可能なＵＥ１００の位置する国が決まっている場合、ＮＷ７００は、当該国において法令で認証された端末装置に与えられる画像を記憶している。ＵＥ１００が日本に位置する場合、ＵＥ１００が位置する国において法令で認証された端末装置に与えられる画像は、技適マークである。
【００９６】
例えば、ＮＷ７００は、認証関連情報として受信した画像情報と記憶している認証画像（技適マーク）とを比較する。ＮＷ７００は、画像情報が示す画像に認証画像が含まれる（可能性が高い）場合、ＵＥ１００に対してＷＬＡＮ送受信機１１２による通信の設定が可能であると判断する。そうでない場合、ＮＷ７００は、ＵＥ１００に対してＷＬＡＮ送受信機１１２による通信（少なくとも送信）の設定が不能であると判断する。
【００９７】
なお、ＮＷ７００は、ＵＥ１００に対してＷＬＡＮ送受信機１１２による通信の設定が不能であると判断した場合、すなわち、ＵＥ１００が位置する国において、ＷＬＡＮ送受信機１１２による通信に関してＵＥ１００が法令で認証されていない場合、ＵＥ１００に対してＷＬＡＮ送受信機１１２による送信をせずに受信するための設定が可能であると判断してもよい。
【００９８】
ステップＳ１４０において、ＮＷ７００は、ＷＬＡＮ送受信機１１２による通信に関する設定を示す設定情報（Ｃｏｎｆｉｇｕｒａｔｉｏｎ）をＵＥ１００に通知する。ＮＷ７００は、例えば、ＲＲＣＣｏｎｎｅｃｔｉｏｎＲｅｃｏｎｆｉｇｕｒａｔｉｏｎに設定情報を含めてＵＥ１００に通知してもよい。ＵＥ１００は、設定情報を受信する。
【００９９】
本実施形態において、設定情報は、セルラ・ＷＬＡＮアグリゲーションに関する情報である。例えば、設定情報は、セルラ・ＷＬＡＮアグリゲーションをＵＥ１００に実行させるための設定情報である。或いは、設定情報は、セルラ・ＷＬＡＮアグリゲーションをＵＥ１００が実行可能か否かを判断するためにＷＬＡＮ通信の無線状況を測定させるための設定情報である。
【０１００】
ＮＷ７００は、ＷＬＡＮ送受信機１１２による通信の設定が可能であるとの判断に応じて、設定情報を通知してもよい。或いは、ＮＷ７００は、ＷＬＡＮ送受信機１１２による通信の設定が可能であると判断した場合であっても、設定情報を通知しなくてもよい。例えば、ＮＷ７００は、ＷＬＡＮ送受信機１１２による通信の設定が可能であると判断した後、設定情報を送信するために満たすべき条件が満たされた場合に、設定情報を通知してもよい。
【０１０１】
ｅＮＢ２００がＷＬＡＮ送受信機１１２による通信の設定が可能であると判断した場合、設定情報をＲＲＣメッセージによってＵＥ１００に通知できる。また、ＭＭＥ５００がＷＬＡＮ送受信機１１２による通信の設定が可能であると判断した場合、当該判断結果をＵＥ１００が在圏するセルを管理するｅＮＢ２００に通知する。ｅＮＢ２００は、当該判断結果に基づいて、設定情報をＵＥ１００に通知できる。
【０１０２】
ＮＷ７００は、ＷＬＡＮ送受信機１１２による通信の設定が不能であるとの判断した場合、設定情報を通知しない。或いは、ＮＷ７００は、ＷＬＡＮ送受信機１１２による送信をせずに受信するための設定情報を通知してもよい。当該設定情報は、セルラ・ＷＬＡＮアグリゲーションによる受信のためにＷＬＡＮ通信の無線状況を測定させるための設定情報であってもよい。ＵＥ１００は、受信した設定情報に基づいてＷＬＡＮ送受信機１１２による通信に関する設定を行った後、設定に従って所定の動作を開始する。
【０１０３】
なお、ＵＥ１００は、ＷＬＡＮ通信によって受信のみを行う場合、ＡＣＫ／ＮＡＣＫ等の制御情報をセルラ送受信機１１１を介してＮＷ７００に通知してもよい。ＮＷ７００は、例えば、直接的なインターフェイスを介して、ＵＥ１００へデータを送信するＡＰ３００に当該制御情報を転送してもよい。
【０１０４】
以上のように、ＮＷ７００は、認証関連情報に基づいて、ＵＥ１００に対してＷＬＡＮ送受信機１１２による通信の設定が可能か否かを判断する。これにより、ＮＷ７００は、ＷＬＡＮを用いた送信に関して法令でＵＥ１００が認証（使用許可）を受けていない場合に、ＷＬＡＮ送受信機１１２による通信に関する設定情報をＵＥ１００に通知しないことが可能である。或いは、ＮＷ７００は、ＷＬＡＮ送受信機１１２による送信をせずに受信するための設定情報のみをＵＥ１００に通知することが可能である。従って、ＵＥ１００は、ＮＷ７００からの設定情報に基づいて、ＷＬＡＮ送受信機１１２による送信しないため、端末装置の違法使用が抑制できる。
【０１０５】
［第２実施形態］
（第２実施形態に係る動作）
次に、第２実施形態に係る動作について図９を用いて説明する。図９は、第２実施形態に係る動作を説明するためのシーケンス図である。第１実施形態と同様の部分は、説明を適宜省略する。
【０１０６】
上述した第１実施形態では、ＮＷ７００が、ＷＬＡＮ送受信機１１２による通信の設定が可能か否かを判断していた。第２実施形態では、ＵＥ１００が、ＷＬＡＮ送受信機１１２による通信の設定が可能か否かを判断する。
【０１０７】
図９に示すように、ステップＳ２１０において、ＮＷ７００は、ＷＬＡＮ送受信機１１２による送信に関してＵＥ１００が法令で認証されているかを判断するための判断情報（Ｄｅｔｅｒｍｉｎａｔｉｏｎ  Ｉｎｆｏｒｍａｔｉｏｎ）をＵＥ１００に通知する。ＵＥ１００は、セルラ送受信機１１１を介して判断情報を受信する。判断情報の詳細は後述する。
【０１０８】
なお、ＵＥ１００は、ＧＮＳＳ受信機１３０（又はＧＰＳ受信機）により位置情報を取得し、当該位置情報を判断情報として使用してもよい。この場合、ステップＳ２１０は、省略されてもよい。
【０１０９】
ステップＳ２２０において、ＵＥ１００は、メモリ１５０に記憶される認証関連情報と、ＮＷ７００から受信した判断情報とに基づいて、ＵＥ１００が位置する国においてＷＬＡＮ送受信機１１２による送信を実行可能か否かを判断する。なお、ＵＥ１００内のＡＳレイヤが判断を行ってもよい。この場合、ＡＳレイヤは、ＵＥ内のＮＡＳレイヤから認証関連情報及び／又は判断情報を取得してもよい。また、ＮＡＳレイヤが判断を行ってもよい。この場合、ＮＡＳレイヤは、ＡＳレイヤから認証関連情報及び／又は判断情報を取得してもよい。
【０１１０】
例えば、ＡＳレイヤは、ＮＡＳレイヤに対して判断情報を通知する。ＮＡＳレイヤは、メモリ１５０から取得した認証関連情報と、ＡＳレイヤから取得した判断情報とに基づいて、ＵＥ１００が位置する国においてＷＬＡＮ送受信機１１２による送信を実行可能か否かを判断する。ＮＡＳレイヤが、判断結果をＡＳレイヤに通知する。或いは、ＡＳレイヤが判断し、判断結果をＮＡＳレイヤに通知してもよい。
【０１１１】
次に、具体的な判断方法について説明する。
【０１１２】
第１に、判断情報がＵＥ１００が位置する国を示す情報であるケースについて説明する。例えば、判断情報は、国番号を示す情報である。国番号を示す情報は、国番号（ＭＣＣ）を示す情報を含むＰＬＭＮ識別子であってもよい。この場合、ＵＥ１００は、判断情報が示す国が、記憶されたリスト情報（認証関連情報）に含まれるか否かを判断する。ＵＥ１００は、リスト情報に当該国が含まれる場合、ＷＬＡＮ送受信機１１２による送信を実行可能と判断する。そうでない場合、ＵＥ１００は、ＷＬＡＮ送受信機１１２による送信を実行不能と判断する。なお、ＵＥ１００は、ＧＮＳＳ受信機１３０を介して取得した位置情報に基づいてＵＥ１００が位置する国を特定して、判断してもよい。
【０１１３】
第２に、判断情報が事業者情報であるケースについて説明する。事業者情報は、事業者情報（事業者コード：ＭＮＣ）を示す情報を含むＰＬＭＮ識別子であってもよい。ＵＥ１００は、事業者情報によって示される事業者がどの国の事業者（ＮＷオペレータ）であるかを特定する。ＵＥ１００は、ＮＷオペレータが事業を行っている国を特定した後、リスト情報に当該国が含まれる場合、ＷＬＡＮ送受信機１１２による送信を実行可能と判断する。そうでない場合、ＵＥ１００は、ＷＬＡＮ送受信機１１２による送信を実行不能と判断する。なお、ＵＥ１００は、事業者と当該事業者が事業を行っている国とが関係付けられたリストを記憶している。
【０１１４】
第３に、判断情報が特定のビット列により構成されるビット情報（第１のビット情報）であるケースについて説明する。ＵＥ１００は、認証関連情報として特定のビット列により構成される第２のビット情報を記憶している。ＵＥ１００は、第１のビット情報と第２のビット情報とを用いてＡＮＤ演算を行った結果に応じてＷＬＡＮ送受信機１１２による送信を実行可能か否かを判断する。
【０１１５】
例えば、ＵＥ１００が第１国と第２国とで認証されている場合、第２のビット情報として「１１」を保持する。最初のビットが第１国を示し、次のビットが第２国を示す。一方、第１国のＮＷ７００は、第１のビット情報として「１０」を送信する。ＵＥ１００は、第１のビット情報と第２のビット情報とを用いてＡＮＤ演算を行い、「１０」という結果を取得する。ＵＥ１００は、最初のビットが「１」を示すため、ＷＬＡＮ送受信機１１２による送信を実行可能と判断する。なお、第２国のＮＷ７００は、第１のビット情報として「０１」を送信する。これにより、ＵＥ１００は、ＡＮＤ演算によって「０１」という結果を取得し、ＷＬＡＮ送受信機１１２による送信を実行可能と判断する。
【０１１６】
一方、ＵＥ１００が第１国で認証されてなく、第２国で認証されている場合、第２のビット情報として「０１」を保持する。ＵＥ１００は、ＡＮＤ演算によって「００」という結果を取得し、ＷＬＡＮ送受信機１１２による送信を実行不能と判断する。
【０１１７】
ステップＳ２３０において、ステップＳ１２０と同様に、ＵＥ１００は、判断結果をＮＷ７００に通知する。ＵＥ１００は、判断結果をＲＲＣメッセージによって通知してもよいし、ＮＡＳメッセージによって通知してもよい。
【０１１８】
ＵＥ１００は、判断結果をＵＥ１００の能力を示す能力情報（Ｃａｐａｂｉｌｉｔｙ）に含めてＮＷ７００に通知してもよい。或いは、ＵＥ１００は、判断結果に基づいて更新された能力情報をＮＷ７００に通知してもよい。例えば、ＵＥ１００は、ＷＬＡＮ送受信機１１２による送信を実行不能と判断した場合、ＵＥ１００がセルラ・ＷＬＡＮアグリゲーションの能力を有するにもかかわらず、能力情報を更新して、ＵＥ１００がセルラ・ＷＬＡＮアグリゲーションの能力を有さないことを示す能力情報をＮＷ７００に通知することができる。
【０１１９】
なお、ＵＥ１００内のＨｉｇｈｅｒ  ｌａｙｅｒ（ＮＡＳレイヤ）が、判断結果に応じて、ＷＬＡＮに関する能力（例えば、セルラ・ＷＬＡＮアグリゲーションの能力）が使用可能か否かを、ＵＥ１００内のＡＳレイヤに通知している場合に、ＡＳレイヤは、当該通知に基づいて、ＵＥ１００がＷＬＡＮに関する能力を有するか否かを設定してもよい。すなわち、ＡＳレイヤは、Ｈｉｇｈｅｒ  ｌａｙｅｒから認証を受けている場合に、判断結果（Ｈｉｇｈｅｒ  ｌａｙｅｒからの通知）に基づいて、能力情報の値を決定してもよい。この場合、ＡＳレイヤは、能力情報の値を決定した後、当該能力情報をＮＷ７００に通知する。
【０１２０】
このように、ＵＥ１００は、判断結果を参照して、能力情報を更新（設定）できる。ＵＥ１００は、更新（設定）された能力情報をＮＷ７００に通知できる。
【０１２１】
ＮＷ７００は、ＵＥ１００から受信した判断結果（能力情報）に基づいて、ＵＥ１００に対してＷＬＡＮ送受信機１１２による通信の設定が可能か否かを判断する。
【０１２２】
ステップＳ２４０は、ステップＳ１４０に対応する。
【０１２３】
以上のように、ＵＥ１００は、認証関連情報と判断情報とに基づいて、ＵＥ１００が位置する国においてＷＬＡＮ送受信機１１２による送信を実行可能か否かを判断できる。ＮＷ７００は、ＵＥ１００の判断結果に基づいて、ＵＥ１００に対してＷＬＡＮ送受信機１１２による通信の設定が可能か否かを判断できるため、端末装置の違法使用が抑制できる。
【０１２４】
（第２実施形態の変更例に係る動作）
次に、第２実施形態の変更例に係る動作について図１０を用いて説明する。図１０は、第２実施形態の変更例に係る動作を説明するためのシーケンス図である。上述した各実施形態と同様の部分は、説明を適宜省略する。
【０１２５】
ステップＳ３１０において、ＮＷ７００は、ＷＬＡＮ送受信機１１２による通信に関する設定を示す設定情報（Ｃｏｎｆｉｇｕｒａｔｉｏｎ）をＵＥ１００に通知する。例えば、ＮＷ７００は、ＲＲＣＣｏｎｎｅｃｔｉｏｎＲｅｃｏｎｆｉｇｕｒａｔｉｏｎによって、セルラ・ＷＬＡＮアグリゲーションに関する設定情報をＵＥ１００に通知する。
【０１２６】
ステップＳ３２０において、ＵＥ１００は、ステップＳ２２０と同様にして、ＵＥ１００が位置する国においてＷＬＡＮ送受信機１１２による送信を実行可能か否かを判断する。ＵＥ１００は、ＷＬＡＮ送受信機１１２による送信を実行可能であると判断した場合、設定情報に従って設定を行う。ＵＥ１００は、設定情報に対する応答として、判断結果に基づく情報をＮＷ７００に通知する。具体的には、ＵＥ１００は、ＲＲＣＣｏｎｎｅｃｔｉｏｎＲｅｃｏｎｆｉｇｕｒａｔｉｏｎ  Ｃｏｍｐｌｅｔｅメッセージを送信する。この場合、ＮＷ７００は、セルラ・ＷＬＡＮアグリゲーションの動作を開始する。
【０１２７】
一方、ＵＥ１００は、ＷＬＡＮ送受信機１１２による送信を実行不能であると判断した場合、設定情報に従った設定を行わない。例えば、ＵＥ１００は、ＲＲＣＣｏｎｎｅｃｔｉｏｎＲｅｃｏｎｆｉｇｕｒａｔｉｏｎ  Ｆａｉｌｕｒｅを実行する。
【０１２８】
或いは、ＵＥ１００は、ＷＬＡＮ送受信機１１２による送信を実行不能であると判断した場合、設定情報に従って設定を行った後、ＷＬＡＮ送受信機１１２による通信（送信）に関する機能を無効にしておく。例えば、ＵＥ１００は、設定情報に従って設定されたＳＣｅｌｌ（ＷＬＡＮキャリア）におけるＷＬＡＮ通信に関する機能をディアクティブ（Ｄｅａｃｔｉｖｅ）状態に設定する。なお、ディアクティブ状態は、設定されたＳＣｅｌｌにおいて上りリンク送信（及び下りリンク受信）が行われない状態である。
【０１２９】
或いは、ＵＥ１００は、以下のステップＳ３３０の処理を実行してもよい。
【０１３０】
ステップＳ３３０において、ＵＥ１００は、設定情報に対する応答として、判断結果に基づく情報をＮＷ７００に通知する。具体的には、ＵＥ１００は、否定応答として、ＲＲＣＣｏｎｎｅｃｔｉｏｎＲｅｃｏｎｆｉｇｕｒａｔｉｏｎ  Ｆａｉｌｕｒｅメッセージを送信する。ＵＥ１００は、ＲＲＣＣｏｎｎｅｃｔｉｏｎＲｅｃｏｎｆｉｇｕｒａｔｉｏｎ  Ｆａｉｌｕｒｅメッセージに、ＵＥ１００が位置する国においてＷＬＡＮ送受信機１１２による送信を実行不能であることを示す理由情報（Ｃａｕｓｅ  ｖａｌｕｅ）を含めてもよい。
【０１３１】
或いは、ＵＥ１００は、ＮＷ７００（ｅＮＢ２００）との無線リンク障害を検出した後、ｅＮＢ２００と接続を再確立する際に、ステップＳ３３０におけるＲＲＣＣｏｎｎｅｃｔｉｏｎＲｅｃｏｎｆｉｇｕｒａｔｉｏｎ  Ｆａｉｌｕｒｅメッセージの理由として、ＵＥ１００が位置する国においてＷＬＡＮ送受信機１１２による送信を実行不能であることを、ＮＷ７００（ｅＮＢ２００）に通知してもよい。具体的には、ＵＥ１００は、ＲＲＣＣｏｎｎｅｃｔｉｏｎ  Ｒｅｅｓｔａｂｌｉｓｈｍｅｎｔ手順を実行中に当該理由情報（Ｃａｕｓｅ  ｖａｌｕｅ）を含めることができる。
【０１３２】
ＮＷ７００は、理由情報が、ＵＥ１００が位置する国においてＷＬＡＮ送受信機１１２による送信を実行不能であることを示す場合、ＵＥ１００に対して、ＷＬＡＮ送受信機１１２による通信に関する設定を示す設定情報を送信しないと決定する。これにより、ＮＷ７００は、同じＵＥ１００に対して当該設定情報を送信しない。或いは、ＮＷ７００は、ＷＬＡＮ送受信機１１２による送信をせずに受信するための設定情報をＵＥ１００に通知してもよい。
【０１３３】
［第３実施形態］
次に、第３実施形態に係る動作について図１１から図１３を用いて説明する。図１１は、装置情報を管理する管理装置（Ｓｅｒｖｅｒ８００）のブロック図である。図１２は、装置情報の一例を説明するための図である。図１３は、第３実施形態に係る動作を説明するためのシーケンス図である。上述した各実施形態と同様の部分は、説明を適宜省略する。
【０１３４】
第３実施形態では、ＮＷ７００が、ＵＥ１００（端末装置）の機種識別子に関する情報に基づいて、ＷＬＡＮ送受信機１１２による通信の設定が可能か否かを判断する。
【０１３５】
（管理装置）
第３実施形態では、認証関連情報を管理する管理装置（Ｓｅｒｖｅｒ）８００がネットワークに存在する（図１３参照）。Ｓｅｒｖｅｒ８００は、ＥＰＣ２０内に存在してもよいし、外部ネットワークに存在してもよい。
【０１３６】
Ｓｅｒｖｅｒ８００は、ＵＥ１００（端末装置）を特定するための装置識別子（例えば、ＩＭＥＩ：Ｉｎｔｅｒｎａｔｉｏｎａｌ  Ｍｏｂｉｌｅ  ｓｔａｔｉｏｎ  Ｅｑｕｉｐｍｅｎｔ  Ｉｄｅｎｔｉｔｙ）を管理するネットワークノードであるＥＩＲ（Ｅｑｕｉｐｍｅｎｔ  Ｉｄｅｎｔｉｔｙ  Ｒｅｇｉｓｔｅｒ）であってもよい。或いは、Ｓｅｒｖｅｒ８００は、加入者情報を管理する管理機能及び呼処理機能を有するＨＬＲ（Ｈｏｍｅ  Ｌｏｃａｔｉｏｎ  Ｒｅｇｉｓｔｅｒ）であってもよい。或いは、Ｓｅｒｖｅｒ８００は、他のネットワーク装置（ＡＮＤＳＦサーバ、ベンダーが管理するサーバなど）であってもよい。
【０１３７】
図１１に示すように、Ｓｅｒｖｅｒ８００は、ネットワークインターフェイス８２０と、メモリ８３０と、プロセッサ８４０と、を有する。メモリ８３０をプロセッサ８４０と一体化し、このセット（すなわち、チップセット）をプロセッサとしてもよい。
【０１３８】
ネットワークインターフェイス８２０は、所定のインターフェイスを介してＮＷ７００（ｅＮＢ２００／ＭＭＥ５００）と接続される。
【０１３９】
メモリ８３０は、プロセッサ８４０によって実行されるプログラムと、プロセッサ８４０による処理に使用される情報と、を記憶する。本実施形態において、メモリ８３０は、装置情報を記憶する（図１２参照）。装置情報は、端末装置の機種を示す機種識別子（ＴＡＣ：Ｔｙｐｅ  Ａｌｌｏｃａｔｉｏｎ  Ｃｏｄｅ）に関する情報と、認証関連情報（Ｒｅｇｕｌａｔｉｏｎ）とが関連付けられた情報である。
【０１４０】
機種識別子に関する情報は、機種識別子（ＴＡＣ）自体であってもよい。或いは、当該情報は、機種識別子により一部が構成される情報であってもよい。例えば、当該情報は、ＴＡＣにより一部が構成されるＩＭＥＩであってもよい。なお、ＩＭＥＩは、８桁のＴＡＣと、端末装置に固有に割り当てられたＳＮＲ（Ｓｅｒｉａｌ  ＮｕｍｂｅＲ）と、１桁のスペアと、によって構成される識別子である。或いは、当該情報は、ＩＭＥＩからスペアを除いた情報とソフトウェアのバージョンとによって構成される識別子であるＩＭＥＩＳＶ（ＩＭＥＩ  Ｓｏｆｔｗａｒｅ  Ｖｅｒｓｉｏｎ）であってもよい。
【０１４１】
図１２において、認証関連情報は、ＷＬＡＮ送受信機１１２による送信に関してＵＥ１００（端末装置／端末本体）が法令で認証された国を示すリスト情報である。図１２において、ＩＭＥＩ（ＴＡＣ）がＡである端末装置は、日本（ＪＰ）、アメリカ合衆国・カナダ（ＵＳＡ／Ｃａｎａｄａ）、欧州連合（ＥＵ）において、ＷＬＡＮ送受信機１１２による送信が認証されている。一方、ＩＭＥＩ（ＴＡＣ）がＢである端末装置は、日本（ＪＰ）、アメリカ合衆国・カナダ（ＵＳＡ／Ｃａｎａｄａ）において、ＷＬＡＮ送受信機１１２による送信が認証されている。当該端末装置は、欧州連合（ＥＵ）において、認証されていない。
【０１４２】
装置情報は、ＵＥ１００（端末装置）の更新に応じて、更新されてもよい。例えば、認証関連情報は、ＵＥ１００（端末装置）のドライバ回路（Ｄｒｉｖｅｒ）及び／又はオペレーティングシステム（ＯＳ）であるソフトウェアが更新されることによって更新されてもよい。或いは、ＩＥＥＥ仕様を新たに認可した国の情報が認証関連情報に追加されることによって、装置情報（認証関連情報）が更新されてもよい。なお、ＮＷオペレータ又は端末装置を取り扱うベンダーによって装置情報が更新可能であってもよい。
【０１４３】
プロセッサ８４０は、ベースバンド信号の変調・復調及び符号化・復号等を行うベースバンドプロセッサと、メモリ８３０に記憶されるプログラムを実行して各種の処理を行うＣＰＵと、を有する。プロセッサ８４０は、後述する各種の処理を実行する。
【０１４４】
（第３実施形態に係る動作）
次に、第３実施形態に係る動作について図１３を用いて説明する。
【０１４５】
図１３に示すように、ステップＳ４１０において、ＵＥ１００は、機種識別子に関する情報をセルラ送受信機１１１を介してＮＷ７００に通知する。ＵＥ１００は、機種識別子に関する情報としてＩＭＥＩを通知する。ＵＥ１００は、ＮＷ７００からの要求に応じて、機種識別子に関する情報をＮＷ７００に通知してもよい。ＮＷ７００は、機種識別子に関する情報をＵＥ１００から受信する。
【０１４６】
ステップＳ４２０において、ＮＷ７００は、認証関連情報をＳｅｒｖｅｒ８００に要求する。当該要求は、ＵＥ１００から受信した機種識別子に関する情報（ＩＭＥＩ）を含む。ＮＷ７００は、ＵＥ１００に対して、ＷＬＡＮ送受信機１１２による通信の設定が可能か否かを判断する場合に、認証関連情報をＳｅｒｖｅｒ８００に要求してもよい。
【０１４７】
なお、ＮＷ７００は、直接的に認証関連情報をＳｅｒｖｅｒ８００に要求しなくてもよい。ＮＷ７００は、結果として認証関連情報を取得するためのシグナリングをＳｅｒｖｅｒ８００に通知してもよい。
【０１４８】
ステップＳ４３０において、要求を受信したＳｅｒｖｅｒ８００は、要求に対する応答をＮＷ７００に通知する。Ｓｅｒｖｅｒ８００は、要求の受信に応じて、要求に含まれる機種識別子に関する情報（ＩＭＥＩ）と、ＤＢ５００に記憶された装置情報とに基づいて、認証関連情報を要求に対する応答に含める。Ｓｅｒｖｅｒ８００は、要求に含まれる機種識別子に関する情報を記憶していない場合、その旨を要求に対する応答に含めてもよい。
【０１４９】
ＮＷ７００は、要求に対する応答を受信することによって、認証関連情報を取得する。
【０１５０】
ステップＳ４４０において、ＮＷ７００は、認証関連情報に基づいて、ＵＥ１００に対して、ＵＥ１００に対してＷＬＡＮ送受信機１１２による通信の設定が可能か否かを判断する。ステップＳ４４０及びＳ４５０は、ステップＳ１３０及びＳ１４０に対応する。
【０１５１】
以上のように、ＮＷ７００は、ＵＥ１００から機種識別子に関する情報を受信するだけで、ＵＥ１００に対してＷＬＡＮ送受信機１１２による通信の設定が可能か否かを判断できる。これにより、端末装置の違法使用が抑制できる。
【０１５２】
［その他の実施形態］
上述した各実施形態において、ＷＬＡＮ送受信機１１２による通信に関する設定は、セルラ・ＷＬＡＮアグリゲーションに限られない。例えば、当該設定は、３ＧＰＰのリリース１２以降においてサポートされているセルラ・ＷＬＡＮ無線インターワーキング技術に関するものであってもよい。
【０１５３】
なお、セルラ・ＷＬＡＮ無線インターワーキング技術によれば、ＲＲＣコネクティッド状態又はＲＲＣアイドル状態のＵＥ１００は、Ｅ−ＵＴＲＡＮ１０とＷＬＡＮ３０との間で双方向のトラフィック切り替え（ネットワークセレクション及びトラフィック・ステアリング）を行う。当該トラフィック切り替えは、Ｅ−ＵＴＲＡＮ１０の補助により、ＵＥ１００主導（ＵＥ  ｂａｓｅｄ）で行われる。当該トラフィック切り替えは、ＡＰＮ（Ａｃｃｅｓｓ  Ｐｏｉｎｔ  Ｎａｍｅ）単位で行われる。
【０１５４】
ＮＷ７００は、判断結果に基づいて、切り替え制御に用いられる補助情報をＵＥ１００に通知するか否かを決定してもよい。或いは、ＮＷ７００は、補助情報を更新してもよい。例えば、ＮＷ７００は、ＷＬＡＮ送受信機１１２による通信の設定が不能である場合、ＷＬＡＮ３０へのトラフィック切り替えが不能な補助情報を設定情報としてＵＥ１００に通知してもよい。
【０１５５】
なお、補助情報は、Ｅ−ＵＴＲＡＮ信号強度（受信電力）閾値及び品質閾値、ＷＬＡＮチャネル使用率閾値、ＷＬＡＮバックホールデータレート閾値、ＷＬＡＮ信号強度（受信電力）閾値及び品質閾値等を含む。補助情報は、ＵＥ主導型の切り替え制御の対象となるＷＬＡＮ識別子を含んでもよい。ＷＬＡＮ識別子は、ＳＳＩＤ、ＢＳＳＩＤ、ＨＥＳＳＩＤ等である。補助情報は、閾値（判定条件）が満たされるべき期間を指定するパラメータを含んでもよい。
【０１５６】
なお、セルラ・ＷＬＡＮ無線インターワーキング技術は、ＵＥ主導でＷＬＡＮ３０へトラフィック切り替えを行う技術である。従って、ＮＷ７００は、端末装置の違法使用に該当しないとして、上述した判断を行わずに、セルラ・ＷＬＡＮ無線インターワーキングに関する設定情報をＵＥ１００に通知してもよい。
【０１５７】
また、ＷＬＡＮ送受信機１１２による通信に関する設定は、３ＧＰＰのリリース１２以降において提案されているＬＡＡ（ＬＡＡ：Ｌｉｃｅｎｓｅｄ−Ａｓｓｉｔｅｄ  Ａｃｃｅｓｓ）技術に関するものであってもよい。
【０１５８】
ＬＡＡでは、ＵＥ１００は、ライセンスド帯域で運用されるセル（以下、ライセンスドセル）とアンライセンスド帯域で運用されるセル（以下、アンライセンスドセル）と通信を行う。ライセンスドセルは、ＰＣｅｌｌとして使用され、アンライセンスドセルは、ＳＣｅｌｌ（又はＰＳＣｅｌｌ）として使用されてもよい。ＵＥ１００がライセンスドセル及びアンライセンスドセルと通信を行う場合、当該ライセンスドセル及び当該アンライセンスドセルは、１つのノード（例えば、ｅＮＢ２００）によって管理されていてもよい。なお、当該ライセンスドセル及び当該アンライセンスドセルは、１つのｅＮＢ２００によって管理（制御）されている場合、アンライセンスドセル（及びライセンスドセル）は、無線送受信機を有するＲＲＨ（Ｒｅｍｏｔｅ  Ｒａｄｉｏ  Ｈｅａｄ）によって形成されてもよい。或いは、ライセンスセルは、ｅＮＢ２００に管理され、アンライセンスドセルは、当該ｅＮＢ２００とは異なる無線通信装置に管理されていてもよい。ｅＮＢ２００と当該無線通信装置とは、所定のインターフェイス（Ｘ２インターフェイス又はＳ１インターフェイス）を介して後述する各種情報のやり取りを行うことができる。ライセンスセルを管理するｅＮＢ２００は、ＵＥ１００から取得した情報を無線通信装置に通知してもよいし、無線通信装置から取得した情報をＵＥ１００に通知してもよい。
【０１５９】
アンライセンスド帯域においては、ＬＴＥシステムとは異なるシステム（無線ＬＡＮ等）又は他のオペレータのＬＴＥシステムとの干渉を回避するために、無線信号を送信する前にＣＣＡ（Ｃｌｅａｒ  ｃｈａｎｎｅｌ  Ａｓｓｅｓｓｍｅｎｔ）を実行すること（いわゆる、ＬＢＴ（Ｌｉｓｔｅｎ  Ｂｅｆｏｒ  Ｔｏｌｋ））が要求されている。具体的には、ＣＣＡでは、ｅＮＢ２００は、アンライセンスド帯域内の周波数（キャリア）が空いているか否かを確認するために、干渉電力を測定する。ｅＮＢ２００は、干渉電力の測定結果に基づいて、空きチャネルであることが確認された周波数（キャリア）に含まれる無線リソースをＵＥ１００に割り当てる（スケジューリング）。ｅＮＢ２００は、アンライセンスドセルを介して、アンライセンスドセルにおけるスケジューリングを行う。或いは、ｅＮＢ２００は、ライセンスドセルを介して、アンライセンスドセルにおけるスケジューリングを行ってもよい（すなわち、クロスキャリアスケジューリング）。
【０１６０】
ＮＷ７００は、判断結果に基づいて、ＬＡＡを実行するための設定情報をＵＥ１００に通知するか否かを決定してもよい。
【０１６１】
また、上述した第２実施形態において、ＮＷ７００が、例えば、ＷＬＡＮ通信の無線状況の測定結果によって、セルラ・ＷＬＡＮアグリゲーションの設定をＵＥ１００に実行する場合、ＵＥ１００にＷＬＡＮ通信の無線状況を測定させるための設定情報を通知してもよい。ＵＥ１００は、当該設定情報に従って設定を行ってもよい。
【０１６２】
ここで、当該設定を行ったＵＥ１００は、ＷＬＡＮ送受信機１１２による送信を実行不能であると判断した場合、当該設定を解除（ｒｅｍｏｖｅ）するための要求を判断結果としてＮＷ７００に通知してもよい。ＵＥ１００は、例えば、ＵＥ  Ａｓｓｉｓｔａｎｃｅ  Ｉｎｆｏｒｍａｔｉｏｎメッセージによって当該要求をＮＷ７００に通知してもよい。ＮＷ７００は、ＷＬＡＮ通信の無線状況の測定設定を解除するための要求の受信に応じて、ＷＬＡＮ送受信機１１２による通信に関する設定が不能であると判断できる。
【０１６３】
また、上述した第２実施形態において、ＵＥ１００は、ユーザからの操作に基づいて、上述の判断を行ってもよい。例えば、第２実施形態の変更例において、ＵＥ１００は、Ｓ３１０の設定情報の受信に応じて、ＵＥ１００の位置する国においてＷＬＡＮ送受信機１１２による通信に関してＵＥ１００が法令で認証されているか否かを確認するためのメッセージをディスプレイに表示してもよい。ユーザは、例えば、ＵＥ１００（端末装置）に貼られた技適マークがあるか確認した後、所定の操作を行う。ＵＥ１００は、ユーザからの操作によって、ＵＥ１００が法令で認証されていることが確認できた場合、ＷＬＡＮ送受信機１１２による送信を実行可能であると判断する。そうでない場合、ＵＥ１００は、ＷＬＡＮ送受信機１１２による送信を実行不能であると判断する。
【０１６４】
また、上述した第３実施形態において、ＮＷ７００が、装置情報を記憶していてもよい。
【０１６５】
また、上述した各実施形態において、ＮＷ７００は、判断結果（或いは能力情報）を当該ＵＥ１００に対するハンドオーバ処理が実行される際に、ターゲットｅＮＢに通知してもよい。例えば、ハンドオーバ要求に判断情報が含まれていてもよい。
【０１６６】
また、上述した各実施形態では、各国の法令でＵＥ１００を認証するケースを説明したが、これに限られない。例えば、地域（複数の国（例えば、欧州連合）、州など）における法令でＵＥ１００を認証する場合に、上述にて説明した動作と同様の動作が実行されてもよいことは勿論である。従って、上述した説明において、「国」を「地域」に置き換えることが可能である。
【０１６７】
上述した各実施形態に係る動作は別個独立して行う場合に限らず、２以上の実施形態に係る動作を組み合わせて行ってもよい。
【０１６８】
上述した各実施形態では、セルラ通信システムの一例としてＬＴＥシステムを説明したが、ＬＴＥシステムに限定されるものではなく、ＬＴＥシステム以外のシステムに本発明を適用してもよい。具体的には、上述した実施形態では、ＷＬＡＮを用いた送信にＵＥ１００（端末装置）の認証が必要なケースを説明したが、これに限られない。他のＲＡＴを用いた送信にＵＥ１００の認証が必要である場合に、上述にて説明した動作と同様の動作が実行されてもよい。
【０１６９】
［相互参照］
日本国特許出願第２０１５−０３５６８６号（２０１５年２月２５日）の全内容が参照により本願明細書に組み込まれている。
【産業上の利用可能性】
【０１７０】
本発明は、通信分野において有用である。
【図１】
2016136647.tif 000003
【図２】
2016136647.tif 000004
【図３】
2016136647.tif 000005
【図４】
2016136647.tif 000006
【図５】
2016136647.tif 000007
【図６】
2016136647.tif 000008
【図７】
2016136647.tif 000009
【図８】
2016136647.tif 000010
【図９】
2016136647.tif 000011
【図１０】
2016136647.tif 000012
【図１１】
2016136647.tif 000013
【図１２】
2016136647.tif 000014
【図１３】
2016136647.tif 000015
【国際調査報告】
2016136647.tif 000016
2016136647.tif 000017
2016136647.tif 000018
2016136647.tif 000019
2016136647.tif 000020
2016136647.tif 000021
2016136647.tif 000022
2016136647.tif 000023